Podtech/llm-jp-corpus-v4-ja_patent huggingface dataset:
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
タバコ材料又は非タバコ材料を含む充填物が充填されたエアロゾル形成基材と、
マウスピースと、
前記エアロゾル形成基材と前記マウスピースとの間に配置される支持要素と、
前記エアロゾル形成基材、前記マウスピースおよび前記支持要素を包装する包装部材とを備え、
前記支持要素は、前記エアロゾル形成基材と直接又は間接的に接触する上部と、前記マウスピース側に位置する下部と、前記上部と前記下部とを連結する側部を備える柱状形状を有し、
前記上部は第１の凹部を有し、
前記側部は前記柱状形状の中心軸に平行に延伸する複数の溝を有し、
前記複数の溝と前記包装部材との間にエアロゾル形成基材が加熱されることによって生成されるエアロゾルの搬送流路が形成されることを特徴とするタバコカートリッジ。
【請求項２】
前記中心軸に垂直な断面において、前記複数の溝は放射状に配置されることを特徴とする請求項１に記載のタバコカートリッジ。
【請求項３】
前記下部は第２の凹部を有し、
前記第１の凹部と前記第２の凹部は、前記中心軸が前記第１の凹部と前記第２の凹部を通過するように配置されることを特徴とする請求項１に記載のタバコカートリッジ。
【請求項４】
前記支持要素の前記下部は前記マウスピースに接することを特徴とする請求項１に記載のタバコカートリッジ。
【請求項５】
前記支持要素はシリコーンを含むことを特徴とする請求項１に記載のタバコカートリッジ。
【請求項６】
前記第１の凹部と前記第２の凹部の底面は互いに平行であり、かつ、前記中心軸に対して垂直であることを特徴とする請求項３に記載のタバコカートリッジ。
【請求項７】
前記第１の凹部と前記第２の凹部の側壁は、前記中心軸に対して平行であることを特徴とする請求項３に記載のタバコカートリッジ。
【請求項８】
前記上部の面積のうち前記第１の凹部の底面の面積を除いた面積に対する前記第１の凹部の前記底面の面積比は、０．２５以上４．０以下であり、
前記下部の面積のうち前記第２の凹部の底面の面積を除いた面積に対する前記第２の凹部の前記底面の面積比は、０．２５以上４．０以下であることを特徴とする請求項３に記載のタバコカートリッジ。
【請求項９】
前記支持要素は、前記柱状形状の中心軸に沿う貫通孔を有することを特徴とする請求項１に記載のタバコカートリッジ。
【請求項１０】
タバコ材料または非タバコ材料を含む充填物が充填されるエアロゾル形成基材とマウスピースの間に配置され、かつ、包装部材によって包装されるように構成される、タバコカートリッジ用の支持要素であり、
前記支持要素は、前記エアロゾル形成基材と前記マウスピースの間に配置される際に前記エアロゾル形成基材と直接または間接的に接触する上部と、前記マウスピース側に位置する下部と、前記上部と前記下部とを連結する側部を備える柱状形状を有し、
前記上部は第１の凹部を有し、
前記側部は前記柱状形状の中心軸に平行に延伸する複数の溝を有し、
前記複数の溝は、前記包装部材との間で、エアロゾル形成基材が加熱されることによって生成されるエアロゾルの搬送流路として機能するように構成されることを特徴とする支持要素。
【請求項１１】
前記中心軸に垂直な断面において、前記複数の溝は放射状に配置されることを特徴とする請求項１０に記載の支持要素。
【請求項１２】
前記下部は第２の凹部を有し、
前記第１の凹部と前記第２の凹部は、前記中心軸が前記第１の凹部と前記第２の凹部を通過するように配置されることを特徴とする請求項１０に記載の支持要素。
【請求項１３】
前記支持要素はシリコーンを含むことを特徴とする請求項１０に記載の支持要素。
【請求項１４】
前記第１の凹部と前記第２の凹部の底面は互いに平行であり、かつ、前記中心軸に対して垂直であることを特徴とする請求項１２に記載の支持要素。
【請求項１５】
前記第１の凹部と前記第２の凹部の側壁は、前記中心軸に対して平行であることを特徴とする請求項１２に記載の支持要素。
【請求項１６】
前記上部の面積のうち前記第１の凹部の底面の面積を除いた面積に対する前記第１の凹部の前記底面の面積比は、０．２５以上４．０以下であり、
前記下部の面積のうち前記第２の凹部の底面の面積を除いた面積に対する前記第２の凹部の前記底面の面積比は、０．２５以上４．０以下であることを特徴とする請求項１２に記載の支持要素。
【請求項１７】
前記支持要素は、前記柱状形状の中心軸に沿う貫通孔を有することを特徴とする請求項１０に記載の支持要素。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
対象の髄核部位に適用するように用いられ、適用時に流動性を有する、低エンドトキシンアルギン酸の１価金属塩を含有する、椎間板組織再生用組成物。
【請求項２】
対象の髄核部位に適用するように用いられ、適用時に流動性を有する、低エンドトキシンアルギン酸の１価金属塩を含有する、椎間板変性抑制用組成物。
【請求項３】
対象の髄核部位に適用するように用いられ、適用時に流動性を有する、低エンドトキシンアルギン酸の１価金属塩を含有する、臨床症状緩和用組成物。
【請求項４】
前記流動性を有する組成物の見掛け粘度が、コーンプレート型粘度計を用いた測定により、５００ｍＰａ・ｓ〜６０００ｍＰａ・ｓであり、前記測定の測定温度が２０℃であり、回転数が０．５ｒｐｍであり、読み取り時間は２．５分間測定し、開始０．５分から２．５分までの平均値とする、請求項１〜３のいずれか１項に記載の組成物。
【請求項５】
前記低エンドトキシンアルギン酸の１価金属塩は、ＧＰＣ−ＭＡＬＳ法により測定された重量平均分子量（絶対分子量）が８万以上である、請求項１〜４のいずれか１項に記載の組成物。
【請求項６】
前記組成物は、低エンドトキシンアルギン酸の１価金属塩の濃度が０．５ｗ／ｗ％〜５ｗ／ｗ％である、請求項１〜５のいずれか１項に記載の組成物。
【請求項７】
前記流動性を有する組成物は、組成物を２０℃で１時間静置した後に、２１Ｇの注射針で注入できる流動性を有する、請求項１〜６のいずれか１項に記載の組成物。
【請求項８】
前記組成物は、細胞を含有しない、請求項１〜７のいずれか１項に記載の組成物。
【請求項９】
前記組成物は、細胞および細胞の成長を促進する因子からなる群から選択される少なくとも１種と組み合わせて適用される、請求項１〜８のいずれか１項に記載の組成物。
【請求項１０】
前記組成物が、適用前に乾燥状態または溶液状態である、請求項１〜９のいずれか１項に記載の組成物。
【請求項１１】
前記乾燥状態の低エンドトキシンアルギン酸の１価金属塩が、凍結乾燥体である、請求項１０に記載の組成物。
【手続補正２】
【補正対象書類名】明細書
【補正対象項目名】００９８
【補正方法】変更
【補正の内容】
【００９８】
これらの方法は、低エンドトキシンアルギン酸の１価金属塩を含有し、流動性を有する組成物を、椎間板変性抑制または髄核再生を必要とする対象の椎間板の髄核部位に適用し、適用した組成物の一部を硬化することを含む。前記の方法は、本発明の組成物を髄核部位へ適用する前に、髄核の少なくとも一部を除去する工程を含んでもよい。
【手続補正３】
【補正対象書類名】明細書
【補正対象項目名】０１１１
【補正方法】変更
【補正の内容】
【０１１１】
１−（２）アルギン酸ビーズの作製、培養
下記表１に示す（Ａ）低エンドトキシン処理されたアルギン酸ナトリウム（持田製薬（株））と、（Ｂ）食品グレード（commercial grade）のアルギン酸ナトリウム（和光純薬工業（株）、１９９−０９９６１）の２種類のアルギン酸ナトリウムとをそれぞれ用いて、ヒト髄核細胞を培養し、比較を行った。
【手続補正４】
【補正対象書類名】明細書
【補正対象項目名】０１２７
【補正方法】変更
【補正の内容】
【０１２７】
２−（２）低エンドトキシンアルギン酸ナトリウム溶液の充填
低エンドトキシンアルギン酸ナトリウムは、次の２種類を用いた。いずれもエンドトキシン含量は、５０ＥＵ／ｇ未満であった。各低エンドトキシンアルギン酸ナトリウムの見掛け粘度及び重量平均分子量は表２のとおりである。アルギン酸ナトリウムの見掛け粘度測定は、日本薬局方（第１６版）の粘度測定法に従い、回転粘度計法（コーンプレート型回転粘度計）を用いて測定した。具体的な測定条件は以下のとおりである。試料溶液の調製は、MilliQ水を用いて行った。測定機器は、コーンプレート型回転粘度計（粘度粘弾性測定装置レオストレスRS600（Thermo Haake GmbH）センサー：３５／１）を用いた。回転数は、１ｗ／ｗ％アルギン酸ナトリウム溶液測定時は１ｒｐｍ、２ｗ／ｗ％アルギン酸ナトリウム溶液測定時は０．５ｒｐｍとした。読み取り時間は、１ｗ／ｗ％溶液測定時は、２分間測定し、開始１分から２分までの平均値とし、２ｗ／ｗ％溶液測定時は、２．５分間測定し、開始０．５分から２．５分までの平均値とした。３回の測定の平均値を測定値とした。測定温度は２０℃とした。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
第１構成部と当該第１構成部に変位可能に設けられた第２構成部とを備え、当該第２構成部の変位により第１形態から当該第１形態とは異なる第２形態へと変形可能な変形玩具であって、
前記第２構成部を当該第２構成部が変位可能な方向へ付勢する付勢部と、
前記第２構成部を前記第１形態における位置に保持する保持部と、
物品が前記変形玩具の所定の位置に配置されることに応じて、前記保持部の保持を解除する解除部と、
前記物品を収容可能な収容部と、
前記収容部を開閉可能に覆う被覆部と、
を備え、
前記第２構成部は、前記解除部による前記保持部の保持の解除に応じて前記付勢部による付勢により変位し、
前記被覆部は、前記第２構成部の変位に連動して、前記物品を前記収容部に収容した状態となるように、当該収容部を覆うべく動作可能である、
変形玩具。
【請求項２】
前記物品は、前記所定の位置に接触した状態で、第２形態において前記収容部に収容可能である、
請求項１に記載の変形玩具。
【請求項３】
前記被覆部は、前記第１形態においては、前記変形玩具の一部に係合し、
前記被覆部の前記変形玩具への係合は、前記第２構成部の変位に伴って解除される、
請求項１または２に記載の変形玩具。
【請求項４】
前記第１構成部に対する前記第２構成部の変位は、回転変位である、
請求項１〜３のいずれか１項に記載の変形玩具。
【請求項５】
前記変形玩具は、前記第２構成部の回転変位を規制する規制部を有する、
請求項４に記載の変形玩具。
【請求項６】
前記第１構成部に対する前記第２構成部の変位は、直線変位である、
請求項１〜３のいずれか１項に記載の変形玩具。
【請求項７】
前記変形玩具は、前記第２構成部の直線変位を規制する規制部を有する、
請求項６に記載の変形玩具。
【請求項８】
前記付勢部は、前記変位を生じさせ得る弾性部材を含み、
前記変位は、前記弾性部材の弾性力によりなされる、
請求項１〜７のいずれか１項に記載の変形玩具。
【請求項９】
前記所定の位置は、前記第２構成部に設けられる、
請求項１〜８のいずれか１項に記載の変形玩具。
【請求項１０】
前記変形玩具は、磁性部材を有し、
前記磁性部材は、前記所定の位置に設けられ、
前記物品は、前記磁性部材に磁力が及び得る永久磁石を備え、
前記解除部は、前記磁性部材の磁力により前記保持部の保持を解除する、
請求項１〜９のいずれか１項に記載の変形玩具。
【請求項１１】
前記収容部は、前記第２構成部に設けられる、
請求項１〜１０のいずれか１項に記載の変形玩具。
【請求項１２】
前記第１形態は、人型形態を除く生物型形態であり、前記第２形態は、人型形態であり、
前記第１構成部は、前記第１形態および前記第２形態における脚部を含み、前記第２構成部は、前記第１形態および前記第２形態における頭部を含む、
請求項１〜１１のいずれか１項に記載の変形玩具。
【請求項１３】
前記変形玩具の高さは、前記第１形態よりも前記第２形態のほうが大きい、
請求項１〜１２に記載の変形玩具。
【請求項１４】
第１構成部と当該第１構成部に変位可能に設けられた第２構成部とを備え、当該第２構成部の変位により第１形態から当該第１形態とは異なる第２形態へと変形可能な変形玩具と物品とを備える変形玩具セットであって、
前記変形玩具は、
前記第２構成部を当該第２構成部が変位可能な方向へ付勢する付勢部と、
前記第２構成部を前記第１形態における位置に保持する保持部と、
前記物品が前記変形玩具の所定の位置に配置されることに応じて、前記保持部の保持を解除する解除部と、
前記物品を収容可能な収容部と、
前記収容部を開閉可能に覆う被覆部と、
を備え、
前記被覆部は、前記第２構成部の変位に連動して、前記物品を前記収容部に収容した状態となるように、当該収容部を覆うべく動作可能である、  
変形玩具セット。
【請求項１５】
前記変形玩具の第１形態が人型形態を除く生物型形態であるとき、前記物品は当該人型形態を除く生物型形態に対応した外観を有する、
請求項１４に記載の変形玩具セット。
【手続補正２】
【補正対象書類名】明細書
【補正対象項目名】０００５
【補正方法】変更
【補正の内容】
【０００５】
本発明に係る変形玩具は、第１形態と当該第１形態とは異なる第２形態とに変形可能な変形玩具であって、前記変形玩具は、物品が接触可能な接触部と、前記接触部への前記物品の接触を条件として、前記第１形態から前記第２形態へ変形可能に制御する変形制御機構と、前記物品を収容可能な収容部と、前記収容部を開閉可能に覆う被覆部と、を備え、前記被覆部は、前記第１形態から前記第２形態への変形に連動して、前記物品を前記収容部に収容した状態となるように、前記収容部を覆うべく動作可能である。一方、本発明に係る変形玩具セットは、前掲の変形玩具と、前掲の物品とを備える。また、本発明に係る変形玩具は、第１構成部と当該第１構成部に変位可能に設けられた第２構成部とを備え、当該第２構成部の変位により第１形態から当該第１形態とは異なる第２形態へと変形可能な変形玩具であって、前記第２構成部を当該第２構成部が変位可能な方向へ付勢する付勢部と、前記第２構成部を前記第１形態における位置に保持する保持部と、物品が前記変形玩具の所定の位置に配置されることに応じて、前記保持部の保持を解除する解除部と、前記物品を収容可能な収容部と、前記収容部を開閉可能に覆う被覆部と、を備え、前記第２構成部は、前記解除部による前記保持部の保持の解除に応じて前記付勢部による付勢により変位し、前記被覆部は、前記第２構成部の変位に連動して、前記物品を前記収容部に収容した状態となるように、当該収容部を覆うべく動作可能である。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
細胞を処理する細胞処理器具と、
前記細胞処理器具を包埋する包埋部材と、
前記包埋部材の外と前記包埋部材内の前記細胞処理器具とを連通させる連通送液路と、
前記連通送液路内の液体を送液するための、前記包埋部材の外部に配置される駆動部と、
を備え、
前記包埋部材内に、前記駆動部から駆動力が伝達される従動部が設けられており、当該従動部が、前記連通送液路に接続されており、
前記細胞処理器具で前記細胞が培養される、細胞処理装置。
【請求項２】
前記包埋部材がガラス又は樹脂からなる、請求項１に記載の細胞処理装置。
【請求項３】
前記包埋部材が金属からなる、請求項１に記載の細胞処理装置。
【請求項４】
前記駆動部が、前記包埋部材の外壁に接続される、請求項１に記載の細胞処理装置。
【請求項５】
細胞を処理する細胞処理器具と、
前記細胞処理器具を包埋する包埋部材と、
前記包埋部材の外と前記包埋部材内の前記細胞処理器具とを連通させる連通送液路と、
を備え、
前記細胞処理器具が、血液から単核球を分離する、前記包埋部材の内部に配置された単核球分離部を備える、細胞処理装置。
【請求項６】
前記包埋部材の外部に配置される、血液及び血液細胞の少なくともいずれかを保存する血液保存部をさらに備え、
前記連通送液路が、前記血液保存部と前記単核球分離部を連通させる血液送液路を備える、請求項５に記載の細胞処理装置。
【請求項７】
細胞を処理する細胞処理器具と、
前記細胞処理器具を包埋する包埋部材と、
前記包埋部材の外と前記包埋部材内の前記細胞処理器具とを連通させる連通送液路と、
を備え、
前記細胞処理器具が、細胞を単離する、前記包埋部材の内部に配置されたフィルターを備える、細胞処理装置。
【請求項８】
細胞を処理する細胞処理器具と、
前記細胞処理器具を包埋する包埋部材と、
前記包埋部材の外と前記包埋部材内の前記細胞処理器具とを連通させる連通送液路と、
を備え、
前記細胞処理器具が、前記包埋部材の内部に配置された単核球精製フィルターを備える、細胞処理装置。
【請求項９】
細胞を処理する細胞処理器具と、
前記細胞処理器具を包埋する包埋部材と、
前記包埋部材の外と前記包埋部材内の前記細胞処理器具とを連通させる連通送液路と、
を備え、
前記細胞処理器具が、
血液から単核球を分離する、前記包埋部材の内部に配置された単核球分離部と、
前記包埋部材の内部に配置された単核球精製フィルターと、
前記単核球分離部と前記単核球精製フィルターを連通させる、前記包埋部材の内部に配置された単核球送液路と、
を備える、細胞処理装置。
【請求項１０】
前記単核球送液路内の液体を送液するための、前記包埋部材の外部に配置される駆動部をさらに備える、請求項９に記載の細胞処理装置。
【請求項１１】
前記駆動部が、前記包埋部材の外壁に接続される、請求項１０に記載の細胞処理装置。
【請求項１２】
前記包埋部材内に、前記駆動部から駆動力が伝達される従動部が設けられており、当該従動部が、前記単核球送液路に接続されている、請求項１０又は１１に記載の細胞処理装置。
【請求項１３】
細胞を処理する細胞処理器具と、
前記細胞処理器具を包埋する包埋部材と、
前記包埋部材の外と前記包埋部材内の前記細胞処理器具とを連通させる連通送液路と、
を備え、
前記細胞処理器具が、細胞に誘導因子を導入して誘導因子導入細胞を作製する、前記包埋部材の内部に配置された因子導入部を備える、細胞処理装置。
【請求項１４】
前記包埋部材の外部に配置される、誘導因子を保存する因子保存部をさらに備え、
前記連通送液路が、前記因子保存部と前記因子導入部を連通させる因子送液路を備える
、請求項１３に記載の細胞処理装置。
【請求項１５】
前記因子導入部において、ＲＮＡリポフェクションにより、前記細胞に前記誘導因子が導入される、請求項１３又は１４に記載の細胞処理装置。
【請求項１６】
前記誘導因子がＤＮＡ、ＲＮＡ、又はタンパク質である、請求項１５に記載の細胞処理装置。
【請求項１７】
前記誘導因子がベクターに組み込まれている、請求項１３又は１４に記載の細胞処理装置。
【請求項１８】
前記ベクターがセンダイウイルスベクターである、請求項１７に記載の細胞処理装置。
【請求項１９】
前記細胞処理器具が、誘導因子を導入した誘導因子導入細胞を培養する、前記包埋部材の内部に配置された培養器を備える、請求項１から３及び４のいずれか１項に記載の細胞処理装置。
【請求項２０】
前記細胞処理器具が、樹立された幹細胞からなる複数の細胞塊を拡大培養する、前記包埋部材の内部に配置された拡大培養器を備える、請求項１から３及び４のいずれか１項に記載の細胞処理装置。
【請求項２１】
前記細胞処理器具が、細胞周囲の溶液を置換する溶液置換器を備える、請求項１から３及び４のいずれか１項に記載の細胞処理装置。
【手続補正書】
【提出日】令和2年10月8日(2020.10.8)
【手続補正１】
【補正対象書類名】明細書
【補正対象項目名】０００５
【補正方法】変更
【補正の内容】
【０００５】
以上の課題を解決するため、請求項１に記載の発明は、
所定条件の成立に基づき実行されるゲームの結果が特別結果となった場合に、大入賞口を遊技球が入賞しやすい状態に変換するラウンド遊技を複数回実行する特別遊技状態を発生可能な遊技機において、
遊技の演出を制御する演出制御手段を備え、
前記ラウンド遊技は、前記大入賞口への遊技球の入賞数が規定数に達した場合、又は所定時間が経過した場合に終了し、
前記演出制御手段は、
前記特別遊技状態の発生開始から行う所定演出と、前記ラウンド遊技中に行うラウンド演出と、を含む特別遊技中演出を実行可能であり、
前記特別遊技状態における特定のラウンド遊技を実行することに対応して、前記所定演出を終了して当該特定のラウンド遊技に対応するラウンド演出を開始することが可能であることを特徴とする。
【手続補正２】
【補正対象書類名】特許請求の範囲
【補正対象項目名】全文
【補正方法】変更
【補正の内容】
【特許請求の範囲】
【請求項１】
所定条件の成立に基づき実行されるゲームの結果が特別結果となった場合に、大入賞口を遊技球が入賞しやすい状態に変換するラウンド遊技を複数回実行する特別遊技状態を発生可能な遊技機において、
遊技の演出を制御する演出制御手段を備え、
前記ラウンド遊技は、前記大入賞口への遊技球の入賞数が規定数に達した場合、又は所定時間が経過した場合に終了し、
前記演出制御手段は、
前記特別遊技状態の発生開始から行う所定演出と、前記ラウンド遊技中に行うラウンド演出と、を含む特別遊技中演出を実行可能であり、
前記特別遊技状態における特定のラウンド遊技を実行することに対応して、前記所定演出を終了して当該特定のラウンド遊技に対応するラウンド演出を開始することが可能であることを特徴とする遊技機。
【請求項２】
前記演出制御手段は、前記所定演出の実行中において、複数の選択肢のうちから一の選択肢を遊技者に選択させることが可能であることを特徴とする請求項１に記載の遊技機。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
メッセージを収集するメッセージ収集システムであって、
疑似受話器受部と前記疑似受話器受部上に設けられ、マイクロフォンが内蔵された疑似受話器とを備える、疑似電話機と、
前記疑似受話器が前記疑似受話器受部から持ち上げられたことを検出するセンサと、
前記センサが前記疑似受話器の持ち上げを検出したことに応じて、前記マイクロフォンを用いて音声を記録する記録装置を備えることを特徴とする、
メッセージ収集システム。
【請求項２】
前記疑似受話器の方向の映像を撮影するカメラをさらに備え、
前記記録装置が、前記センサが前記疑似受話器の持ち上げを検出したことに応じて、さらに、前記カメラを用いて映像を記録する、請求項１のメッセージ収集システム。
【請求項３】
前記記録装置が、前記センサによる前記疑似受話器が前記疑似受話器受部上に戻されたことの検出に応じて、前記記録を止める、請求項１又は２のメッセージ収集システム。
【請求項４】
前記疑似受話器にさらにスピーカが内蔵され、
前記スピーカから音声を出力する出力装置を備え、
前記出力装置が、前記センサが前記疑似受話器の持ち上げを検出したことに応じて前記スピーカから音声を出力する、請求項１から３のいずれかのメッセージ収集システム。
【請求項５】
前記出力装置が、前記センサが前記疑似受話器の持ち上げを検出した後であり、前記マイクロフォンからの入力音声のない時間が所定の時間継続し、かつ、前記疑似受話器が前記疑似受話器受部上に戻されたことを検出しないときに、前記スピーカから音声を出力する、請求項４のメッセージ収集システム。
【手続補正２】
【補正対象書類名】明細書
【補正対象項目名】０００７
【補正方法】変更
【補正の内容】
【０００７】
本発明は、メッセージを収集するメッセージ収集システムであって、
疑似受話器受部と前記疑似受話器受部上に設けられ、マイクロフォンが内蔵された疑似受話器とを備える、疑似電話機と、
前記疑似受話器が前記疑似受話器受部から持ち上げられたことを検出するセンサと、
前記センサが前記疑似受話器の持ち上げを検出したことに応じて、前記マイクロフォンを用いて音声を記録する記録装置を備えることを特徴とする。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
表示装置において、それぞれが複数種の識別図柄を含む複数の識別図柄群が変動表示され、当該複数の識別図柄群から選択されて表示された識別図柄の組み合わせにより当否判定結果が報知される遊技機であって、
複数種の前記識別図柄のそれぞれは、その種類を示す主要部と、当該主要部に付随する付随部を含み、
複数の前記識別図柄群のうちの一つである第一識別図柄群から選択されて表示された第一識別図柄の前記付随部である第一付随部と、前記第一識別図柄群とは異なる識別図柄群である第二識別図柄群から選択されて表示された第二識別図柄の前記付随部である第二付随部とが組み合わされる演出が実行可能であることを特徴とする遊技機。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
第１面と、前記第１面と反対側の第２面とを備える金属板と、
前記金属板に形成された開口部と、
前記開口部の内壁から内側に延在する連結バーと、
前記連結バーの先端に配置され、前記金属板の第１面側に突出する針部と
を備える電極部材を有し、
前記針部の幅は前記連結バーの幅よりも大きく設定され、
前記針部は、両端部に前記金属板の第２面側に突出する突出部を備えていることを特徴とする生体用電極部品。
【請求項２】
前記針部は、側面視において、先端が尖った三角形又は五角形で形成されていることを特徴とする請求項１に記載の生体用電極部品。
【請求項３】
前記電極部材の金属板の第２面に貼付された接着フィルムを有し、
前記接着フィルムは、前記金属板の第１面側の面に、前記電極部材から露出する接着領域を備えていることを特徴とする請求項１又は２に記載の生体用電極部品。
【請求項４】
前記電極部材の連結バー及び針部と、前記接着フィルムとの間にカバー部材が配置されていることを特徴とする請求項３に記載の生体用電極部品。
【請求項５】
前記接着フィルムの接着領域を生体表面に接着することにより、前記電極部材の針部を生体表面に突き刺して固定することを特徴とする請求項３又は４に記載の生体用電極部品。
【請求項６】
第１面と、前記第１面と反対側の第２面とを備える金属板を加工することにより、開口部と、前記開口部の内壁から内側に延在する連結バーと、前記連結バーに繋がる針部を形成する工程と、
前記針部を曲げ加工して、前記金属板の第１面側に突出させることにより、電極部材を得る工程と
を有し、
前記電極部材を得る工程において、
前記針部の幅は前記連結バーの幅よりも大きく設定され、
前記針部は、両端部に前記金属板の第２面側に突出する突出部を備えて形成されることを特徴とする生体用電極部品の製造方法。
【請求項７】
前記電極部材を得る工程の後に、
前記電極部材の金属板の第２面に接着フィルムを貼付する工程を有し、
前記接着フィルムは、前記金属板の第１面側の面に前記電極部材から露出する接着領域を備えることを特徴とする請求項６に記載の生体用電極部品の製造方法。
【請求項８】
前記接着フィルムを貼付する工程において、
前記電極部材の連結バー及び針部と、前記接着フィルムとの間にカバー部材が配置されることを特徴とする請求項７に記載の生体用電極部品の製造方法。
【手続補正２】
【補正対象書類名】明細書
【補正対象項目名】０００８
【補正方法】変更
【補正の内容】
【０００８】
以下の開示の一観点によれば、第１面と、前記第１面と反対側の第２面とを備える金属板と、前記金属板に形成された開口部と、前記開口部の内壁から内側に延在する連結バーと、前記連結バーの先端に配置され、前記金属板の第１面側に突出する針部とを備える電極部材を有し、前記針部の幅は前記連結バーの幅よりも大きく設定され、前記針部は、両端部に前記金属板の第２面側に突出する突出部を備えている生体用電極部品が提供される。
【手続補正３】
【補正対象書類名】明細書
【補正対象項目名】０００９
【補正方法】削除
【補正の内容】
【手続補正書】
【提出日】令和2年6月18日(2020.6.18)
【手続補正１】
【補正対象書類名】明細書
【補正対象項目名】０００５
【補正方法】変更
【補正の内容】
【０００５】
上記目的を達成するために、以下に示すような、遊技機が提供される。遊技機は、遊技に関する設定を設定可能にして遊技制御をおこなう主制御装置と、主制御装置の指令にもとづいて演出制御をおこなう従制御装置とを備える。従制御装置は、指令にもとづいて所定の報知契機で設定を示唆する示唆演出を実行可能な制御部を備える。
【手続補正２】
【補正対象書類名】特許請求の範囲
【補正対象項目名】全文
【補正方法】変更
【補正の内容】
【特許請求の範囲】
【請求項１】
遊技に関する設定を設定可能にして遊技制御をおこなう主制御装置と、前記主制御装置の指令にもとづいて演出制御をおこなう従制御装置とを備え、
前記従制御装置は、
前記指令にもとづいて所定の報知契機で前記設定を示唆する示唆演出を実行可能な制御部を備える、
遊技機。
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
壁面等の被取付体に取り付けられる取付ベースにアームベースを設け、アームベースにハンガーアームを水平面内で回動可能に設けて成り、ハンガーアームは、下方にあってハンガーを掛止する掛止部と、その上方にあって先端部を先枠部を介して掛止部と連結する上枠部を有し、上枠部と掛止部はアームベースに上下に距離を置いて垂直方向に同軸上に上軸支部と下軸支部を設けて軸支されており、アームベースには、掛止部に下軸支部を介して連続して配置され、掛止部からスライド移動したハンガーを収納することができる収納部を形成したことを特徴とするハンガー装置。
【請求項２】
掛止部、下軸支部及び収納部が略同一平面に連続していることを特徴とする請求項１に記載のハンガー装置。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行する特別遊技実行手段と、
前記特別遊技後に、遊技者に有利な第１遊技状態で遊技を制御するときと、前記第１遊技状態よりも不利な第２遊技状態で遊技を制御するときと、がある遊技状態制御手段と、
所定の演出手段を用いて所定の演出を実行する演出実行手段と、を備え、
前記演出手段には、動作可能な可動体が含まれ、
前記特別遊技実行手段は、前記特別遊技を、第１の期間まで継続させるときと、前記第１の期間よりも長い第２の期間まで継続させるときと、があり、
前記演出実行手段は、
前記特別遊技の実行中に、前記特別遊技後に前記第１遊技状態で遊技が制御されることを示唆する第１演出と、前記特別遊技が前記第２の期間まで継続されることを示唆する第２演出と、を実行可能であり、
前記第１演出と前記第２演出とを実行する場合、前記第１演出と前記第２演出とを連動して実行することがあり、
前記第１演出と前記第２演出とを連動して実行する場合、前記第１演出と連動するように前記可動体を動作させる、
ことを特徴とする遊技機。
【請求項２】
遊技者に有利な特別遊技を実行する特別遊技実行手段と、
前記特別遊技後に、遊技者に有利な第１遊技状態で遊技を制御するときと、前記第１遊技状態よりも不利な第２遊技状態で遊技を制御するときと、がある遊技状態制御手段と、
所定の演出手段を用いて所定の演出を実行する演出実行手段と、を備え、
前記演出手段には、動作可能な可動体が含まれ、
前記特別遊技実行手段は、前記特別遊技を、第１の期間まで継続させるときと、前記第１の期間よりも長い第２の期間まで継続させるときと、があり、
前記演出実行手段は、
前記特別遊技の実行中に、前記特別遊技後に前記第１遊技状態で遊技が制御されることを示唆する第１演出と、前記特別遊技が前記第２の期間まで継続されることを示唆する第２演出と、を実行可能であり、
前記第１演出と前記第２演出とを実行する場合、前記第１演出と前記第２演出とを連動して実行することがあり、
前記第１演出と前記第２演出とを連動して実行する場合において、前記第２演出と連動するように前記可動体を動作させる、
ことを特徴とする遊技機。
【手続補正２】
【補正対象書類名】明細書
【補正対象項目名】０００９
【補正方法】変更
【補正の内容】
【０００９】
本明細書に開示される遊技機は、遊技者に有利な特別遊技を実行する特別遊技実行手段と、前記特別遊技後に、遊技者に有利な第１遊技状態で遊技を制御するときと、前記第１遊技状態よりも不利な第２遊技状態で遊技を制御するときと、がある遊技状態制御手段と、所定の演出手段を用いて所定の演出を実行する演出実行手段と、を備え、前記演出手段には、動作可能な可動体が含まれ、前記特別遊技実行手段は、前記特別遊技を、第１の期間まで継続させるときと、前記第１の期間よりも長い第２の期間まで継続させるときと、があり、前記演出実行手段は、前記特別遊技の実行中に、前記特別遊技後に前記第１遊技状態で遊技が制御されることを示唆する第１演出と、前記特別遊技が前記第２の期間まで継続されることを示唆する第２演出と、を実行可能であり、前記第１演出と前記第２演出とを実行する場合、前記第１演出と前記第２演出とを連動して実行することがあり、前記第１演出と前記第２演出とを連動して実行する場合、前記第１演出と連動するように前記可動体を動作させる、ことを特徴としている。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行う遊技機であって、
画像を表示可能な画像表示装置と、
遊技者が操作可能な操作手段と、
遊技者に操作手段の操作を促す促進演出を実行可能な促進演出実行手段と、を備え、
前記促進演出実行手段は、
前記促進演出として、前記操作手段を操作する際の操作態様の指示を含む操作指示演出を実行可能であり、
前記操作指示演出では、指示する操作態様に基づいて動作表示する操作促進画像を前記画像表示装置に表示可能であり、
前記操作指示演出にて前記操作促進画像を表示する際の表示パターンとして、前記動作表示のスピードが異なる複数の表示パターンが設けられており、該複数の表示パターンの何れかに基づいて前記操作促進画像を表示する
ことを特徴とする遊技機。
【請求項２】
前記操作促進画像として、前記操作手段の操作態様を示す操作態様画像を有し、
前記促進演出実行手段は、
前記操作指示演出の実行に際し、指示する操作態様に基づいて動作表示する前記操作態様画像を前記画像表示装置に表示可能であり、
前記操作指示演出にて前記操作態様画像を表示する際の表示パターンとして、前記動作表示のスピードが異なる複数の表示パターンが設けられており、該複数の表示パターンの何れかに基づいて前記操作態様画像を表示する
ことを特徴とする請求項１に記載の遊技機。
【請求項３】
前記操作促進画像として、前記操作手段の操作態様を示す操作手段画像を有し、
前記促進演出実行手段は、
前記操作指示演出の実行に際し、指示する操作態様に基づいて動作表示する前記操作手段画像を前記画像表示装置に表示可能であり、
前記操作指示演出にて前記操作手段画像を表示する際の表示パターンとして、前記動作表示のスピードが異なる複数の表示パターンが設けられており、該複数の表示パターンの何れかに基づいて前記操作手段画像を表示する
ことを特徴とする請求項１又は２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定の遊技媒体を用いて遊技を行う遊技機であって、
画像を表示可能な画像表示装置と、
遊技者が操作可能な操作手段と、
遊技者に操作手段の操作を促す促進演出を実行可能な促進演出実行手段と、を備え、
前記促進演出実行手段は、
前記促進演出として、前記操作手段を操作する際の操作態様の指示を含む操作指示演出を実行可能であり、
前記操作指示演出では、指示する操作態様に基づいて動作表示する操作促進画像を前記画像表示装置に表示可能であり、
前記操作指示演出にて前記操作促進画像を表示する際の表示パターンとして、前記動作表示のスピードが異なる複数の表示パターンが設けられており、該複数の表示パターンの何れかに基づいて前記操作促進画像を表示する
ことを要旨とする。
（２）手段２の遊技機は、上記手段１の遊技機において、
前記操作促進画像として、前記操作手段の操作態様を示す操作態様画像を有し、
前記促進演出実行手段は、
前記操作指示演出の実行に際し、指示する操作態様に基づいて動作表示する前記操作態様画像を前記画像表示装置に表示可能であり、
前記操作指示演出にて前記操作態様画像を表示する際の表示パターンとして、前記動作表示のスピードが異なる複数の表示パターンが設けられており、該複数の表示パターンの何れかに基づいて前記操作態様画像を表示する
ことを要旨とする。
（３）手段３の遊技機は、上記手段１又は２の遊技機において、
前記操作促進画像として、前記操作手段の操作態様を示す操作手段画像を有し、
前記促進演出実行手段は、
前記操作指示演出の実行に際し、指示する操作態様に基づいて動作表示する前記操作手段画像を前記画像表示装置に表示可能であり、
前記操作指示演出にて前記操作手段画像を表示する際の表示パターンとして、前記動作表示のスピードが異なる複数の表示パターンが設けられており、該複数の表示パターンの何れかに基づいて前記操作手段画像を表示する
ことを要旨とする。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果として特定表示結果が導出表示されたことに基づいて、遊技者にとって有利な特別遊技が実行可能となる遊技機であって、
識別情報の変動表示に関連する予告演出を実行可能な予告演出実行手段と、
識別情報の変動表示が開始されてから該変動表示の表示結果が導出表示されるまでに、仮停止表示を行った後に変動表示を再度行う再変動表示を実行可能な再変動表示実行手段と、を備え、
所定回数の前記再変動表示の実行を伴う識別情報の変動表示に関する予告演出として、前記所定回数目の再変動表示より前には実行されず前記所定回数目の再変動表示にて実行可能な予告演出を有する
ことを特徴とする遊技機。
【請求項２】
前記所定回数目の再変動表示にて実行可能な予告演出として、所定の第１予告画像と第２予告画像の双方を表示する予告演出を有する
ことを特徴とする請求項１に記載の遊技機。
【請求項３】
前記所定回数目の再変動表示にて実行可能な予告演出として、前記第１予告画像と前記第２予告画像の何れか一方を表示する予告演出を有する
ことを特徴とする請求項１又は２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、識別情報の変動表示の表示結果として特定表示結果が導出表示されたことに基づいて、遊技者にとって有利な特別遊技が実行可能となる遊技機であって、
識別情報の変動表示に関連する予告演出を実行可能な予告演出実行手段と、
識別情報の変動表示が開始されてから該変動表示の表示結果が導出表示されるまでに、仮停止表示を行った後に変動表示を再度行う再変動表示を実行可能な再変動表示実行手段と、を備え、
所定回数の前記再変動表示の実行を伴う識別情報の変動表示に関する予告演出として、前記所定回数目の再変動表示より前には実行されず前記所定回数目の再変動表示にて実行可能な予告演出を有する
ことを要旨とする。
（２）手段２の遊技機は、上記手段１の遊技機において、
前記所定回数目の再変動表示にて実行可能な予告演出として、所定の第１予告画像と第２予告画像の双方を表示する予告演出を有する
ことを要旨とする。
（３）手段３の遊技機は、上記手段１又は２の遊技機において、
前記所定回数目の再変動表示にて実行可能な予告演出として、前記第１予告画像と前記第２予告画像の何れか一方を表示する予告演出を有する
ことを要旨とする。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射して遊技を行い、前記遊技領域に設けられた始動口への遊技球の入球に基づいて実行される識別情報の変動表示の表示結果が特定表示結果になると、遊技者にとって有利な特別遊技が実行可能となる遊技機であって、
遊技状態を制御可能な遊技状態制御手段と、
前記遊技領域のうち何れの領域に向けて遊技球を発射するかを指示する指示報知を実行可能な指示報知実行手段と、を備え、
前記遊技状態には、少なくとも、通常遊技状態と、前記特別遊技が実行される特別遊技状態と、始動口への遊技球の入球頻度が前記通常遊技状態よりも高くなる高頻度状態と、があり、
前記通常遊技状態では前記遊技領域のうち第１領域に向けて遊技球を発射し、前記特別遊技状態及び前記高頻度状態では前記遊技領域のうち第２領域に向けて遊技球を発射して、遊技を行うものとされており、
前記第２領域に向けて遊技球を発射することを指示する指示報知として、
前記通常遊技状態にて前記変動表示の表示結果が特定表示結果となった場合に実行される前記第１指示報知と、
前記特別遊技状態中及び前記高頻度状態中にそれぞれ同様の態様で実行される前記第２指示報知と、を有する
ことを特徴とする遊技機。
【請求項２】
前記特別遊技状態から前記高頻度状態にかけて前記第２指示報知が継続して実行される
ことを特徴とする請求項１に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
遊技領域に向けて遊技球を発射して遊技を行い、前記遊技領域に設けられた始動口への遊技球の入球に基づいて実行される識別情報の変動表示の表示結果が特定表示結果になると、遊技者にとって有利な特別遊技が実行可能となる遊技機であって、
遊技状態を制御可能な遊技状態制御手段と、
前記遊技領域のうち何れの領域に向けて遊技球を発射するかを指示する指示報知を実行可能な指示報知実行手段と、を備え、
前記遊技状態には、少なくとも、通常遊技状態と、前記特別遊技が実行される特別遊技状態と、始動口への遊技球の入球頻度が前記通常遊技状態よりも高くなる高頻度状態と、があり、
前記通常遊技状態では前記遊技領域のうち第１領域に向けて遊技球を発射し、前記特別遊技状態及び前記高頻度状態では前記遊技領域のうち第２領域に向けて遊技球を発射して、遊技を行うものとされており、
前記第２領域に向けて遊技球を発射することを指示する指示報知として、
前記通常遊技状態にて前記変動表示の表示結果が特定表示結果となった場合に実行される前記第１指示報知と、
前記特別遊技状態中及び前記高頻度状態中にそれぞれ同様の態様で実行される前記第２指示報知と、を有する
ことを要旨とする。
（２）手段２の遊技機は、手段１の遊技機において、
前記特別遊技状態から前記高頻度状態にかけて前記第２指示報知が継続して実行される
ことを要旨とする。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射して遊技を行い、前記遊技領域に設けられた始動口への遊技球の入球に基づいて実行される識別情報の変動表示の表示結果が特定表示結果になると、遊技者に有利な特別遊技が実行可能となる遊技機であって、
遊技状態を制御可能な遊技状態制御手段と、
前記遊技領域のうち何れの領域に向けて遊技球を発射するかを指示する指示報知を実行可能な指示報知実行手段と、を備え、
前記遊技状態には、少なくとも、通常遊技状態と、前記特別遊技が実行される特別遊技状態と、始動口への遊技球の入球頻度が前記通常遊技状態よりも高くなる高頻度状態と、があり、
前記通常遊技状態では前記遊技領域のうち第１領域に向けて遊技球を発射し、前記特別遊技状態及び前記高頻度状態では前記遊技領域のうち第２領域に向けて遊技球を発射して、遊技を行うものとされており、
前記第２領域に向けて遊技球を発射することを指示する指示報知として、第１指示画像を所定の表示部に表示する第１指示報知と、前記第１指示画像と異なる第２指示画像を所定の表示部に表示する第２指示報知と、を有し、
前記通常遊技状態にて前記変動表示の表示結果が特定表示結果となった場合、前記第１指示報知が実行され、
前記特別遊技状態及び前記高頻度状態では前記第２指示報知が実行される
ことを特徴とする遊技機。
【請求項２】
前記特別遊技状態から前記高頻度状態にかけて前記第２指示報知が継続して実行される
ことを特徴とする請求項１に記載の遊技機。
【請求項３】
前記第２指示画像は、前記第１指示画像に比して表示サイズが小さい
ことを特徴とする請求項１又は２に記載の遊技機。
【手続補正２】
【補正対象書類名】明細書
【補正対象項目名】０００２
【補正方法】変更
【補正の内容】
【０００２】
従来、遊技領域の略中央に液晶表示装置等を含むセンター役物（中央役物）を備え、通常の遊技状態では、センター役物より左側の遊技領域に向けて遊技球を発射（所謂「左打ち」）し、大当り遊技や確変遊技等の遊技者にとって有利な遊技が行われる遊技状態では、センター役物より右側の遊技領域に向けて遊技球を発射（所謂「右打ち」）するタイプの遊技機が知られている。この種の遊技機では、大当り遊技や確変遊技の実行に際し、遊技者に右打ちを促す指示報知を行うのが一般的である（例えば特許文献１を参照）。
【手続補正３】
【補正対象書類名】明細書
【補正対象項目名】０００３
【補正方法】変更
【補正の内容】
【０００３】
【特許文献１】特開２００８−１２１８５号公報
【手続補正４】
【補正対象書類名】明細書
【補正対象項目名】０００４
【補正方法】変更
【補正の内容】
【０００４】
近年の遊技機では、遊技興趣を向上させるべく、遊技中に行われる演出の派手さが増す傾向にある。このため、遊技中に行われる右打ちの指示報知が演出に紛れてしまい、遊技者にとって認識し難いものとなってしまう虞がある。
【手続補正５】
【補正対象書類名】明細書
【補正対象項目名】０００５
【補正方法】変更
【補正の内容】
【０００５】
本発明は、上記事情に鑑みてなされたものであり、その目的とするところは、遊技者にとって認識し易い発射の指示報知を実行可能な遊技機を提供することにある。
【手続補正６】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
遊技領域に向けて遊技球を発射して遊技を行い、前記遊技領域に設けられた始動口への遊技球の入球に基づいて実行される識別情報の変動表示の表示結果が特定表示結果になると、遊技者に有利な特別遊技が実行可能となる遊技機であって、
遊技状態を制御可能な遊技状態制御手段と、
前記遊技領域のうち何れの領域に向けて遊技球を発射するかを指示する指示報知を実行可能な指示報知実行手段と、を備え、
前記遊技状態には、少なくとも、通常遊技状態と、前記特別遊技が実行される特別遊技状態と、始動口への遊技球の入球頻度が前記通常遊技状態よりも高くなる高頻度状態と、があり、
前記通常遊技状態では前記遊技領域のうち第１領域に向けて遊技球を発射し、前記特別遊技状態及び前記高頻度状態では前記遊技領域のうち第２領域に向けて遊技球を発射して、遊技を行うものとされており、
前記第２領域に向けて遊技球を発射することを指示する指示報知として、第１指示画像を所定の表示部に表示する第１指示報知と、前記第１指示画像と異なる第２指示画像を所定の表示部に表示する第２指示報知と、を有し、
前記通常遊技状態にて前記変動表示の表示結果が特定表示結果となった場合、前記第１指示報知が実行され、
前記特別遊技状態及び前記高頻度状態では前記第２指示報知が実行される
ことを要旨とする。
（２）手段２の遊技機は、手段１の遊技機において、
前記特別遊技状態から前記高頻度状態にかけて前記第２指示報知が継続して実行される
ことを要旨とする。
（３）手段３の遊技機は、手段１又は２の遊技機において、
前記第２指示画像は、前記第１指示画像に比して表示サイズが小さい
ことを要旨とする。
【手続補正７】
【補正対象書類名】明細書
【補正対象項目名】０００７
【補正方法】変更
【補正の内容】
【０００７】
以上の本発明によれば、遊技者にとって認識し易い発射の指示報知を実行することが可能となる。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
特定の遊技が可能な遊技領域を備えた遊技機であって、
発光可能な発光体と、
遊技者が前記発光体に接触できないように設けられた保護手段と、を備え、
前記発光体は、所定位置に配置された第１発光体を含み、
前記保護手段には、前記第１発光体の発光面に対向する第１視認部と前記発光面に対向しない第２視認部が形成され、
前記第１視認部は、前記第１発光体の光を遊技者が視認可能とされ、
前記第２視認部は、非点灯状態の前記第１発光体を視認可能且つ前記第１発光体が載置された基板の少なくとも一部を視認可能とされた
遊技機。
【請求項２】
非点灯状態の前記第１発光体に対する視認性が前記第１視認部と前記第２視認部とで異なる
請求項１に記載の遊技機。
【手続補正２】
【補正対象書類名】明細書
【補正対象項目名】０００５
【補正方法】変更
【補正の内容】
【０００５】
本発明に係る遊技機は、特定の遊技が可能な遊技領域を備えた遊技機であって、発光可能な発光体と、遊技者が前記発光体に接触できないように設けられた保護手段と、を備え、前記発光体は、所定位置に配置された第１発光体を含み、前記保護手段には、前記第１発光体の発行面に対向する第１視認部と前記発行面に対向しない第２視認部が形成され、前記第１視認部は、前記第１発光体の光を遊技者が視認可能とされ、前記第２視認部は、非点灯状態の前記第１発光体を視認可能且つ前記第１発光体が載置された基板の少なくとも一部を視認可能とされたものである。
これにより、発光体の不具合を発見しやすくメンテナンス性のよい遊技機を提供することができる。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
特定の遊技が可能な遊技領域を備えた遊技機であって、
発光可能な発光体と、
遊技者が前記発光体に接触できないように設けられた保護手段と、を備え、
前記発光体は、所定位置に配置された第１発光体を含み、
前記保護手段には、前記第１発光体の発光面に対向する第１視認部と前記発光面に対向しない第２視認部が形成され、
前記第１視認部は、前記第１発光体の光を遊技者が視認可能とされ、
前記第２視認部は、非点灯状態の前記第１発光体を含む複数の前記発光体を視認可能とされた
遊技機。
【請求項２】
非点灯状態の前記第１発光体は、前記第１視認部から視認不能とされた
請求項１に記載の遊技機。
【手続補正２】
【補正対象書類名】明細書
【補正対象項目名】０００５
【補正方法】変更
【補正の内容】
【０００５】
本発明に係る遊技機は、特定の遊技が可能な遊技領域を備えた遊技機であって、発光可能な発光体と、遊技者が前記発光体に接触できないように設けられた保護手段と、を備え、前記発光体は、所定位置に配置された第１発光体を含み、前記保護手段には、前記第１発光体の発光面に対向する第１視認部と前記発光面に対向しない第２視認部が形成され、前記第１視認部は、前記第１発光体の光を遊技者が視認可能とされ、前記第２視認部は、非点灯状態の前記第１発光体を含む複数の前記発光体を視認可能とされたものである。
これにより、発光体の不具合を発見しやすくメンテナンス性のよい遊技機を提供することができる。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
発光可能な発光体と、
前記発光体を保護する保護手段と、
前記発光体が載置された電子回路基板と、を備え、
前記発光体は、所定位置に配置された第１発光体を含み、
前記電子回路基板は、前記第１発光体が載置された第１電子回路基板を含み、
前記保護手段は、前記第１発光体を保護する第１保護手段を含み、
前記第１保護手段に、前記第１電子回路基板と前記第１発光体とを視認可能な視認部が形成された
遊技機。
【手続補正２】
【補正対象書類名】明細書
【補正対象項目名】０００５
【補正方法】変更
【補正の内容】
【０００５】
本発明に係る遊技機は、発光可能な発光体と、前記発光体を保護する保護手段と、前記発光体が載置された電子回路基板と、を備え、前記発光体は、所定位置に配置された第１発光体を含み、前記電子回路基板は、前記第１発光体が載置された第１電子回路基板を含み、前記保護手段は、前記第１発光体を保護する第１保護手段を含み、前記第１保護手段に、前記第１電子回路基板と前記第１発光体とを視認可能な視認部が形成されたものである。
これにより、発光体の不具合を発見しやすくメンテナンス性のよい遊技機を提供することができる。